(57)【特許請求の範囲】
【請求項１】
機器間のデータのやり取りにキャリアを重畳する伝送通信路と、前記キャリアを検出してデータ部および少なくとも２つのストップビットを含むデータを判定するタイミングを出力する計時手段と、前記計時手段からのタイミングに基づいてデータを“０”もしくは“１”と判定するデータ判定手段と、前記データ判定手段により得られたデータに含まれる少なくとも２つのストップビットの“０”と“１”の組み合わせにより受信データが正常か否かを判定するストップビット判定手段と、これらの手段を制御してデータ受信を行う受信制御手段とを備え、前記ストップビット判定手段は、前記ストップビットの“０”と“１”の組み合わせにより少なくとも２つの正常受信を判定して前記受信制御手段に通知し、前記受信制御手段は、前記ストップビット判定手段の判定結果に基づいて、少なくとも２つの正常受信したデータの前記データ部の内容を異なる情報として処理することを特徴とするデータ伝送制御装置。
【発明の詳細な説明】
【０００１】
【発明の属する技術分野】
本発明は、データ伝送制御装置に関するものである。
【０００２】
【従来の技術】
従来のデータ伝送制御装置は受信データを判定するあために、データの受信開始時にビットデータのセンター付近でデータを読み取れるように時間を設定し、そのタイムアップにてデータをサンプリングすることにより”０”もしくは”１”であるか判定していた。
【０００３】
【発明が解決しようとする課題】
しかしながら、上記従来のデータ伝送制御装置では、限られたデータ部のビット数に複数の情報を持たすことができなかった。
【０００４】
本発明はこのような従来の問題を解決するものであり、限られたデータ部のビット数に複数の情報を持たすことのできるデータ伝送制御装置を提供することを目的とする。
【０００５】
【課題を解決するための手段】
上記目的を達成するために、本発明のデータ伝送制御装置は、機器間のデータのやり取りにキャリアを重畳する伝送通信路と、前記キャリアを検出してデータ部および少なくとも２つのストップビットを含むデータを判定するタイミングを出力する計時手段と、前記計時手段からのタイミングに基づいてデータを“０”もしくは“１”と判定するデータ判定手段と、前記データ判定手段により得られたデータに含まれる少なくとも２つのストップビットの“０”と“１”の組み合わせにより受信データが正常か否かを判定するストップビット判定手段と、これらの手段を制御してデータ受信を行う受信制御手段とを備え、前記ストップビット判定手段が、前記ストップビットの“０”と“１”の組み合わせにより少なくとも２つの正常受信を判定して前記受信制御手段に通知し、前記受信制御手段が、前記ストップビット判定手段の判定結果に基づいて、少なくとも２つの正常受信したデータの前記データ部の内容を異なる情報として処理するようにしたものであり、限られたデータ部ビット数に複数の情報を持たすことができる。
【０００９】
【発明の実施の形態】
本発明の請求項１に記載の発明は、機器間のデータのやり取りにキャリアを重畳する伝送通信路と、前記キャリアを検出してデータ部および少なくとも２つのストップビットを含むデータを判定するタイミングを出力する計時手段と、前記計時手段からのタイミングに基づいてデータを“０”もしくは“１”と判定するデータ判定手段と、前記データ判定手段により得られたデータに含まれる少なくとも２つのストップビットの“０”と“１”の組み合わせにより受信データが正常か否かを判定するストップビット判定手段と、これらの手段を制御してデータ受信を行う受信制御手段とを備え、前記ストップビット判定手段は、前記ストップビットの“０”と“１”の組み合わせにより少なくとも２つの正常受信を判定して前記受信制御手段に通知し、前記受信制御手段は、前記ストップビット判定手段の判定結果に基づいて、少なくとも２つの正常受信したデータの前記データ部の内容を異なる情報として処理するデータ伝送制御装置であり、少なくとも２つのストップビットの“０”と“１”の組み合わせにより、限られたデータ部ビット数に複数の情報を持たすことができるという作用を有する。
【００１０】
以下、本発明の実施の形態について、図面を参照しながら説明する。
（実施の形態１）
図１は本発明の第１の実施の形態におけるデータ伝送制御装置の構成を示すものである。図１において、１はデータ伝送制御装置であり、伝送通信路２にキャリア検出手段３および受信キャリアカウント手段４が接続されている。８は受信制御手段であり、キャリア検出手段３、受信キャリアカウント手段４、マーカ判定手段５、計時手段６、データ判定手段７を制御する。キャリア検出手段３、受信キャリアカウント手段４、マーカ判定手段５、計時手段６、データ判定手段７は、受信制御手段８によって監視されている。また、受信キャリアカウント手段４は、マーカ判定手段５、データ判定手段７に監視されている。
【００１１】
次に図２を用いて上記実施の形態の動作について説明する。図２は伝送データ受信タイミングの一例であり、”Ｈ”はキャリアが発生している状態、”Ｌ”はキャリアが無い状態を示す。上記実施の形態において、まず、伝送通信路２に重畳されたキャリアをキャリア検出手段３が検出すると（ＳＴ１）、その情報が受信制御手段８に通知される。キャリアが検出されたことを確認すると、受信制御手段８は、受信キャリアカウント手段４にキャリアカウントの開始の指示を行う。受信キャリアカウント手段４は、一定時間内のキャリアの発生回数により、そのキャリアの周波数を判定する。次にキャリアがなくなったことをキャリア検出手段３が検出すると（ＳＴ２）、その情報が受信制御手段８に通知される。受信制御手段８は、キャリアが無くなったことを通知されると、マーカ判定手段５にそのことを通知し、マーカ判定手段５は、受信キャリアカウント手段４を参照し、受信していたキャリアがマーカか否かを判定し、マーカならばキャリアがなくなったとき（ＳＴ２）を、同期タイミングとして計時手段６を起動する。その後は、計時手段６の期間中の受信キャリアカウント手段４のカウンタ値により、データを”０”もしくは”１”と判定するデータ判定手段７と受信制御手段８とでデータの受信を行う（ＳＴ３）。
【００１２】
このように、本実施の形態によれば、マーカ検出後にキャリアが無くなったこと、およびキャリアカウントによりデータ判定を行っているため、検出精度良くデータを受信することができる。
【００１３】
（実施の形態２）
次に、本発明の第２の実施の形態について、図３、図４を参照しながら説明する。図３において、１１はデータ伝送制御装置であり、伝送通信路１２にキャリア検出手段１３および受信キャリアカウント手段１４が接続されている。１８は受信制御手段であり、キャリア検出手段１３、受信キャリアカウント手段１４、マーカ判定手段１５、計時手段１６、データ判定手段１７、スタートビット判定手段１９を制御する。キャリア検出手段１３、マーカ判定手段１５、計時手段１６、データ判定手段１７、スタートビット判定手段１９は、受信制御手段１８によって監視されている。また、受信キャリアカウント手段１４は、マーカ判定手段１５、データ判定手段１７、スタートビット判定手段１９に監視されている。
【００１４】
次に図４を用いて上記実施の形態の動作について説明する。図４は伝送データ受信タイミングの一例であり、”Ｈ”はキャリアが発生している状態、”Ｌ”はキャリアが無い状態を示す。上記実施の形態において、まず、伝送通信路１２に重畳されたキャリアをキャリア検出手段１３が検出すると（ＳＴ１１）、その情報が受信制御手段１８に通知される。キャリアが検出されたことを確認すると、受信制御手段１８は、受信キャリアカウント手段１４にキャリアカウントの開始の指示を行う。受信キャリアカウント手段１４は、一定時間内のキャリアの発生回数により、そのキャリアの周波数を判定する。次にキャリアがなくなったことをキャリア検出手段１３が検出すると（ＳＴ１２）、その情報が受信制御手段１８に通知される。受信制御手段１８は、キャリアが無くなったことを通知されると、マーカ判定手段１５にそのことを通知し、マーカ判定手段１５は、受信キャリアカウント手段１４を参照し、受信していたキャリアがマーカか否かを判定し、マーカならばスタートビット判定手段１９に対してスタートビット検出開始の指示を与える。その後、キャリア検出手段１３によりキャリアが検出されると、受信制御手段１８は、スタートビット判定手段１９を参照し、スタートビットが確定していたならば、キャリアの始まりと判定した時（ＳＴ１３）を、同期タイミングとして計時手段１６を起動する。その後は、計時手段１６の期間中の受信キャリアカウント手段１４のカウンタ値により、データを”０”もしくは”１”と判定するデータ判定手段１７と受信制御手段１８とでデータの受信を行う（ＳＴ１４）。
【００１５】
このように、本実施の形態によれば、マーカ検出後にキャリアが発生したこと、およびキャリアカウントによりデータ判定を行っているため、検出精度良くデータを受信することができる。
【００１６】
（実施の形態３）
次に、本発明の第３の実施の形態について、図５、図６を参照しながら説明する。図５において、２１はデータ伝送制御装置であり、伝送通信路２２にデータ判定手段２３が接続されている。２５は受信制御手段であり、ストップビット判定手段２４、計時手段２６を制御する。ストップビット判定手段２４、計時手段２６は、受信制御手段２５によって監視されている。また、キャリア検出手段２３、受信データ格納エリア２７は、ストップビット判定手段２４に監視されている。
【００１７】
次に図６を用いて上記実施の形態の動作について説明する。図６は伝送データ受信タイミングの一例であり、”Ｈ”はキャリアが発生している状態、”Ｌ”はキャリアが無い状態を示す。上記実施の形態において、計時手段２６によりストップビットを判定するタイミングが受信制御手段２５に通知される。受信制御手段２５は、ストップビットを判定するタイミングが判定されると、ストップビット判定手段２４にストップビット判定手段開始の指示を行う。ストップビット判定手段２４は、データを”０”もしくは”１”と判定するデータ判定手段２３によりストップビット１およびストップビット２の受信を行い（ＳＴ２１）、ストップビット１が”０”（ＳＴ２２）、ストップビット２が”１”（ＳＴ２３）ならば、受信データは正常に受信したことを受信制御手段２５へ通知する。ストップビット１が”１”の場合、ストップビット２は”パリティビット”であると判定し、受信データ格納エリア２７に格納されている受信済みデータを参照し、パリティビットが正常であるか否かを判定し、それを受信制御手段２５へ通知する。受信制御手段２５は、通知された内容によりデータ受信を行う。
【００１８】
このように、本実施の形態３によれば、ストップビットの情報の組み合わせにより、限られたデータ部ビット数に複数の情報を持たすことができる。
【００１９】
【発明の効果】
本発明によれば、少なくとも２つのストップビットの“０”と“１”の組み合わせにより、限られたデータ部ビット数に複数の情報を持たすことができるという有利な効果が得られる。
【図面の簡単な説明】
【図１】本発明の実施の形態１におけるデータ伝送制御装置の構成を示すブロック図
【図２】実施の形態１の動作を説明するためのデータ受信タイミング図
【図３】本発明の実施の形態２におけるデータ伝送制御装置の構成を示すブロック図
【図４】実施の形態２の動作を説明するためのデータ受信タイミング図
【図５】本発明の実施の形態３におけるデータ伝送制御装置の構成を示すブロック図
【図６】実施の形態３の動作を説明するためのデータ受信タイミング図
【符号の説明】
１  データ伝送制御装置
２  伝送通信路
３  キャリア検出手段
４  受信キャリアカウント手段
５  マーカ判定手段
６  計時手段
７  データ判定手段
８  受信制御手段
１１  データ伝送制御装置
１２  伝送通信路
１３  キャリア検出手段
１４  受信キャリアカウント手段
１５  マーカ判定手段
１６  計時手段
１７  データ判定手段
１８  受信制御手段
１９  スタートビット判定手段
２１  データ伝送制御装置
２２  伝送通信路
２３  データ判定手段
２３  キャリア検出手段
２４  ストップビット判定手段
２５  受信制御手段
２６  計時手段
２７  受信データ格納エリア
【図１】
0003699563.tif 000002
【図２】
0003699563.tif 000003
【図３】
0003699563.tif 000004
【図４】
0003699563.tif 000005
【図５】
0003699563.tif 000006
【図６】
0003699563.tif 000007